(57)【要約】【課題】  遊技ホールにおいてより効果的にタバコの煙を排気する。【解決手段】  遊技機１０１が複数設置された遊技ホール１００において、タバコＴの煙Ｔ１を排気するための遊技ホール設備１であって、遊技ホール１００の壁１０３際に配置され、この壁１０３に沿って空気Ａを上方に送る送風装置２と、送風装置２の上方に配置され、空気ＡやタバコＴの煙Ｔ１などを吸い込む吸気口３と、を備える。【選択図】  図１
2014198233.tif 000002
【特許請求の範囲】
【請求項１】
パチンコ機やパチスロ機を含む遊技機が複数設置された遊技ホールにおいて、タバコの煙を排気するための遊技ホール設備であって、
前記遊技ホールの壁際に配置され、該壁に沿って空気を上方に送る送風装置と、
前記送風装置の上方に配置され、空気を吸い込む吸気手段と、
を備えることを特徴とする遊技ホール設備。
【請求項２】
前記送風装置は、前記壁から離隔した位置から前記壁に向けて斜め上方に空気を吹き出す吹出口を備える、
ことを特徴とする請求項１に記載の遊技ホール設備。
【請求項３】
平面状で、前記吸気手段を前記壁とで挟むように前記壁に沿って配設された垂れ壁を備え、
人が前記送風装置側に行き来できる範囲内で、前記送風装置の吹出口と前記垂れ壁の下端との距離ができるだけ短く設定されている、
ことを特徴とする請求項１または２のいずれか１項に記載の遊技ホール設備。
【請求項４】
前記送風装置の吹出口の高さが変更可能となっている、
ことを特徴とする請求項１から３のいずれか１項に記載の遊技ホール設備。
【請求項５】
複数の遊技機が設置された遊技エリアに近い壁際であって、かつ前記遊技機を目視可能な壁際に前記送風装置が配置されている、
ことを特徴とする請求項１から４のいずれか１項に記載の遊技ホール設備。
【発明の詳細な説明】
【技術分野】
【０００１】
この発明は、遊技ホールにおいてタバコの煙を排気するための遊技ホール設備に関する。
【背景技術】
【０００２】
パチンコ機やパチスロ機などの遊技機が複数設置された遊技ホールにおいては、喫煙者と非喫煙者とが混在しており、喫煙者が吸うタバコの煙によって非喫煙者が不快な思いをする場合がある。このため、喫煙者と非喫煙者とが隣接して遊技をしていても、適切に分煙することが可能である、という装置が知られている（例えば、特許文献１参照。）。この装置は、隣り合う遊技機の境界上部に、下方に向かって空気を吹き出す送風機を備え、吹き出された空気によって上下方向に延びるエアーカーテンを形成し、隣席する遊技者の発する悪臭を遮断する、というものである。
【先行技術文献】
【特許文献】
【０００３】
【特許文献１】特開２００８−００５９７９号公報
【発明の概要】
【発明が解決しようとする課題】
【０００４】
ところで、遊技者は目の疲れを癒したり、気分転換したりするために、遊技機から離れてゆっくり休みたいと思う場合があり、そのため、遊技ホールには、ソファや灰皿などを備えた休憩所が設けられている。しかしながら、このような休憩所には、喫煙者だけではなく非喫煙者も集うため、喫煙者が吸うタバコの煙によって非喫煙者に不快感を与える場合がある。
【０００５】
一方、上記特許文献１のような装置を備えたとしても、非喫煙者に不快感を完全に与えないようにすることは困難であり、非喫煙者に不快感を与えないためにも、遊技の際には喫煙をしないで、喫煙をする際には休憩所などに行く、という分煙が好ましい。しかしながら、休憩所などでも非喫煙者に不快感を与える場合があり、より効果的にタバコの煙を排気することができる設備が望まれる。
【０００６】
そこでこの発明は、遊技ホールにおいてより効果的にタバコの煙を排気することが可能な遊技ホール設備を提供することを目的とする。
【課題を解決するための手段】
【０００７】
上記課題を解決するために、請求項１に記載の発明は、パチンコ機やパチスロ機を含む遊技機が複数設置された遊技ホールにおいて、タバコの煙を排気するための遊技ホール設備であって、前記遊技ホールの壁際に配置され、該壁に沿って空気を上方に送る送風装置と、前記送風装置の上方に配置され、空気を吸い込む吸気手段と、を備えることを特徴とする。
【０００８】
この発明によれば、喫煙者が送風装置の近くでタバコを吸うと、送風装置からの空気の気流に誘引されて、タバコの煙が壁に沿って上方に流れ、吸気手段によって吸い込まれ排気される。
【０００９】
請求項２に記載の発明は、請求項１に記載の遊技ホール設備において、前記送風装置は、前記壁から離隔した位置から前記壁に向けて斜め上方に空気を吹き出す吹出口を備える、ことを特徴とする。
【００１０】
請求項３に記載の発明は、請求項１または２に記載の遊技ホール設備において、平面状で、前記吸気手段を前記壁とで挟むように前記壁に沿って配設された垂れ壁を備え、人が前記送風装置側に行き来できる範囲内で、前記送風装置の吹出口と前記垂れ壁の下端との距離ができるだけ短く設定されている、ことを特徴とする。
【００１１】
請求項４に記載の発明は、請求項１から３に記載の遊技ホール設備において、前記送風装置の吹出口の高さが変更可能となっている、ことを特徴とする。
【００１２】
請求項５に記載の発明は、請求項１から４に記載の遊技ホール設備において、複数の遊技機が設置された遊技エリアに近い壁際であって、かつ前記遊技機を目視可能な壁際に前記送風装置が配置されている、ことを特徴とする。
【発明の効果】
【００１３】
請求項１の発明によれば、送風装置からの気流に誘引されて、タバコの煙が壁に沿って上方に流れるため、タバコの煙をより効果的に排気することが可能となる。すなわち、送風装置から壁に沿って空気を上方に送るため、壁がない場合に比べて空気の流速が速くなり、また、壁に沿って上方に流れるため、タバコの煙が乱れることなく吸気手段に向かい、この結果、タバコの煙が迅速かつ集中的に吸気手段で吸い込まれる。従って、近くに非喫煙者がいても、非喫煙者への不快感を抑制、軽減することができる。
【００１４】
請求項２の発明によれば、喫煙者が送風装置の近くでタバコを吸うと、壁から離れた吹出口から壁に向けて斜め上方に空気が吹き出されているため、この気流に誘引されて（巻き込まれるように）タバコの煙が壁に沿って上方に流れる。そして、吹出口が壁から離れているため、広い範囲にわたってタバコの煙を誘引することができる。つまり、喫煙者が壁の近くで喫煙しなくても、タバコの煙を効果的に排気することが可能となり、喫煙範囲（喫煙自由度）が広くなる。
【００１５】
請求項３の発明によれば、吸気手段を壁とで挟むように垂れ壁が配設され、しかも、送風装置の吹出口と垂れ壁の下端との距離ができるだけ短く設定されているため、垂れ壁よりも外側（反壁側）からの空気が送風装置側に流入するのが抑制される。この結果、タバコの煙をより効果的に排気することが可能となる。
【００１６】
請求項４の発明によれば、送風装置の吹出口の高さが変更可能となっているため、喫煙者の背丈や吸気手段の高さなどに応じて吹出口の高さを調整することで、タバコの煙をより効果的に排気することが可能となる。すなわち、送風装置の吹出口から吸気手段までの距離をできるだけ短くすることで、反壁側からの空気が送風装置側に流入するのが抑制され、タバコの煙をより効果的に排気することが可能となる。
【００１７】
請求項５の発明によれば、遊技エリアに近く、かつ遊技機を目視可能な壁際に送風装置が配置されているため、遊技ホールにおける分煙を促進することが可能となる。すなわち、遊技エリアに近いため、喫煙者は遠くまで行くことなく容易に喫煙することができ、このような壁際での喫煙を促進することができる。さらに、遊技機を目視可能なため、自分が使っている遊技機や他の遊技機がどうなっているのか、などを確認することができ、このような壁際での喫煙を促進することができる。このようにして、遊技の際には（遊技機の前では）喫煙をしないで、喫煙をする際には壁際に行く、という分煙を促進することが可能となる。
【図面の簡単な説明】
【００１８】
【図１】この発明の実施の形態１に係る遊技ホール設備を示し、喫煙者がソファに座って喫煙している状態を示す図である。
【図２】この発明の実施の形態１に係る遊技ホール設備を示し、喫煙者が立って喫煙している状態を示す図である。
【図３】図１の遊技ホール設備が設けられている遊技ホールの概略平面図・見取り図である。
【図４】図１の遊技ホール設備の送風装置を示す正面図（ａ）とその平面図（ｂ）である。
【図５】図１の場合における概略的な風速分布を示す正面図（ａ）と側面図（ｂ）である。
【図６】図４の送風装置において、灰皿を設けない場合を示す正面図（ａ）とその平面図（ｂ）である。
【図７】この発明の実施の形態２に係る遊技ホール設備の送風装置を示す側面図である。
【図８】図７の送風装置の正面図である。
【発明を実施するための形態】
【００１９】
以下、この発明を図示の実施の形態に基づいて説明する。
【００２０】
「実施の形態１」
「遊技ホール設備１の構成」
図１、２は、この発明の実施の形態１に係る遊技ホール設備１を示す図である。この遊技ホール設備１は、図３に示すように、パチンコ機やパチスロ機などの遊技機１０１が複数設置された遊技ホール１００において、タバコＴの煙Ｔ１を排気、除去するための設備であり、主として、送風装置２と、吸気口（吸気手段）３と、垂れ板（垂れ壁）４とを備えている。
【００２１】
「送風装置２の構成」
送風装置２は、遊技ホール１００の壁１０３際に配置され、この壁１０３に沿って空気（送風空気）Ａを上方に送る装置であり、図４に示すように、主として、本体２１と、送風機（送風手段）２２と、キャスタ（移動手段）２３とを備えている。
【００２２】
本体２１は、立方体の箱状で、側板に空気窓２１１が設けられ、上面に吹出口２１２が設けられている。この吹出口２１２は、壁１０３に沿って水平に延びる複数のスリットから構成され、送風機２２からの空気Ａが壁１０３に沿って（壁１０３を這うように）上方に流れるように形成されている。さらに、本体２１の上面には、吹出口２１２の近くに灰皿２１３が設けられ、灰皿２１３に置かれたタバコＴの煙Ｔ１が吹出口２１２からの気流に誘引されて上方に流れるようになっている。
【００２３】
ここで、タバコＴの煙Ｔ１には、灰皿２１３に置かれたタバコＴの煙Ｔ１、喫煙者Ｍが手に持っているタバコＴの煙Ｔ１、喫煙者Ｍが吐き出した煙Ｔ１を含む。また、送風機２２からの空気Ａが壁１０３に沿って上方に流れれば、吹出口２１２をスリットで構成しなくてもよい。
【００２４】
送風機２２は、空気を取り込んで所定の圧力、風量で空気Ａを外に送る装置であり、本体２１内に収容され、空気窓２１１を介して空気を取り込み、吹出口２１２から空気Ａを上方に送るようになっている。ここで、送風機２２の形式としては、ファン式やブロア式などいずれのものであってもよく、その容量、風量は、タバコＴの煙Ｔ１を適正に吸気口３に送れるように設定されている。また、空気窓２１１を本体２１の側板に設けているが、本体２１の底板などに設けてもよい。
【００２５】
キャスタ２３は、送風装置２全体を移動させる車輪であり、進行方向を変更自在で、脚体２４を介して本体２１の底面の四隅に配設されている。また、脚体２４は、上下方向に伸縮自在となっており、これにより、吹出口２１２の高さ位置が変更可能となっている。ここで、例えば、図１に示すように、喫煙者Ｍがソファ（座体）１２１に座って喫煙したり、図２に示すように、喫煙者Ｍが立って喫煙したりした際に、喫煙者Ｍの肘近くに吹出口２１２の高さを調整できるように、脚体２４の伸縮長が設定されている。また、キャスタ２３には、回転を停止させるストッパが設けられている。このように、キャスタ２３を設けて移動自在としているが、キャスタ２３を設けなくてもよい。
【００２６】
このような送風装置２が、遊技ホール１００の休憩兼通路エリア１２０の壁１０３際に配置されている。すなわち、遊技ホール１００の遊技エリア１１０内には、図３に示すように、複数の遊技機１０１が直線的に配列された遊技機島１０２が、複数並列に設置されている。また、休憩兼通路エリア１２０は、遊技エリア１１０外に位置し、人が休憩したり通行したりするエリアであり、この休憩兼通路エリア１２０の遊技エリア１１０に近い壁１０３際であって、かつ遊技機１０１を目視可能な壁１０３際に送風装置２が配置されている。
【００２７】
また、休憩兼通路エリア１２０の壁１０３際の一部には、人が座るためのソファ１２１が複数配置されており、喫煙者Ｍのみではなく非喫煙者も休憩できる場所となっている。なお、送風装置２は、遊技機１０１の台数などに応じて、連続的に多数設けてもよいし、まばらに（点々と）設けてもよい。
【００２８】
「吸気口３の構成」
このような休憩兼通路エリア１２０の天井部１０４に、送風装置２からの空気ＡやタバコＴの煙Ｔ１などを吸い込む吸気口（排気口）３が設けられている。この吸気口３は、長方形で壁１０３際に沿って延び、天井部１０４内の排気ダクトおよび排気ファン（図示せず）に接続され、吸気口３に吸い込まれた空気Ａや煙Ｔ１などが、排気ダクトを通って外部に排気されるようになっている。
【００２９】
このような吸気口３のほぼ真下の壁１０３際に、送風装置２が配置されている。換言すると、送風装置２のほぼ真上に吸気口３が配置されている。また、吹出口２１２が壁１０３側に位置し、吹出口２１２のスリットが壁１０３に沿って延びるように、送風装置２が配置されている。
【００３０】
そして、この実施の形態では、図１に示すようにソファ１２１の横や、図２に示すようにソファ１２１から離れて、複数の送風装置２が配置されている。また、ソファ１２１の横に配置された送風装置２では、喫煙者Ｍがソファ１２１に座って喫煙した際に、灰皿２１３が使える範囲内で吹出口２１２の高さができるだけ高く設定されている。同様に、ソファ１２１から離れて配置された送風装置２では、喫煙者Ｍが立って喫煙した際に、灰皿２１３が使える範囲内で吹出口２１２の高さができるだけ高く設定されている。このように同じ送風装置２を使用して吹出口２１２の高さを調整しているが、高さが異なる送風装置２をそれぞれ配置してもよい。
【００３１】
「垂れ板４の構成」
垂れ板４は、吸気口３を壁１０３とで挟むように配設されている。この垂れ板４は、平板状（平面状）で、上端部が天井部１０４に固定されて下方に延び、壁１０３と垂れ板４とで吸気口３を挟むように（吸気口３の反壁１０３側を遮蔽するように）、壁１０３に沿って配設されている。また、垂れ板４の垂直方向の長さは、人や物が送風装置２側（壁１０３側）に行き来できる範囲内で、送風装置２の吹出口２１２と垂れ壁４の下端との距離Ｌができるだけ短くなるように設定されている。つまり、床から垂れ板４の下端までの高さが、人の背丈よりもやや高くなるように設定されている。
【００３２】
すなわち、距離Ｌが長いと、垂れ板４よりも外側（反壁１０３側）からの空気Ｇ、つまり休憩兼通路エリア１２０外からの空気Ｇが、休憩兼通路エリア１２０内に流入して吸気口３側に向かい、送風装置２からの空気ＡおよびタバコＴの煙Ｔ１を吸気する割合が減少する。これに対して距離Ｌが短いと、休憩兼通路エリア１２０外からの空気Ｇが、休憩兼通路エリア１２０内および吸気口３側に流入するのが抑制され、送風装置２からの空気ＡおよびタバコＴの煙Ｔ１をほぼ誘引できる。このため、垂れ板４の長さをできるだけ長く設定しているものである。
【００３３】
一方、送風装置２の吹出口２１２から吸気口３までの距離が短い場合には、休憩兼通路エリア１２０外からの空気Ｇが、休憩兼通路エリア１２０内および吸気口３側に多量に流入することが抑制されるため、垂れ板４自体を設けなくてもよい。すなわち、吹出口２１２の位置を高くして吸気口３までの距離をできるだけ短くすること、垂れ板４を設けてその長さをできるだけ長くすること、あるいはこれらの双方によって、休憩兼通路エリア１２０外からの空気Ｇが、休憩兼通路エリア１２０内および吸気口３側に流入するのを抑制する。これにより、送風装置２からの空気ＡおよびタバコＴの煙Ｔ１の流速の低下が少なく、迅速かつ集中的に吸気口３に吸い込まれるものである。
【００３４】
そして、例えば、図１に示すように吹出口２１２の位置が低い場合、送風装置２からの空気Ａや煙Ｔ１などの風速分布は、図５に示すような分布となる。すなわち、送風装置２の吹出口２１２近傍では、ほぼ送風装置２からの空気Ａのみであるため、流速が速くかつほぼ均等な流速となる。
【００３５】
しかし、上方に向かうに従って、送風装置２からの空気Ａ以外の気体（煙Ｔ１や休憩兼通路エリア１２０内の空気、休憩兼通路エリア１２０外の空気Ｇ）も巻き込まれるため、流速が全体的に下がってかつ偏りが発生する。すなわち、壁１０３の近傍では流速が速く、壁１０３から離れるに従って流速が遅くなり（図５（ｂ））、また、吹出口２１２の真上では流速が速く、吹出口２１２の両側では流速が遅くなる（図５（ａ））。従って、送風装置２の吹出口２１２の近くでかつ壁１０３の近くでタバコＴを吸うと、タバコＴの煙Ｔ１が迅速かつ集中的に吸気口３に吸い込まれるものである。
【００３６】
「遊技ホール設備１の作用等」
次に、このような構成の遊技ホール設備１の作用などについて説明する。
【００３７】
まず、遊技エリア１１０で遊技をしている遊技者（喫煙者Ｍ）がタバコＴを吸いたくなった場合には、休憩兼通路エリア１２０内であって、自分が使っている遊技機１０１が見える送風装置２の近くに行く。そして、ソファ１２１に座ってタバコＴを吸う場合、送風装置２の送風機２２を起動させると、図１に示すように、送風機２２からの空気Ａが吹出口２１２から壁１０３に沿って上方に流れる。この状態で喫煙者ＭがタバコＴを吸うと、送風装置２からの空気Ａの気流に誘引されて、タバコＴの煙Ｔ１が壁１０３に沿って上方に流れ、送風装置２からの空気Ａとともに吸気口３によって吸い込まれる。このとき、喫煙者Ｍは、遊技エリア１１０側に向いており、自分が使っている遊技機１０１を見ながら喫煙することができる。
【００３８】
同様に、立ってタバコＴを吸う場合も、送風装置２の送風機２２を起動させると、図２に示すように、送風機２２からの空気Ａが吹出口２１２から壁１０３に沿って上方に流れる。この状態で喫煙者ＭがタバコＴを吸うと、送風装置２からの空気Ａの気流に誘引されて、タバコＴの煙Ｔ１が壁１０３に沿って上方に流れ、送風装置２からの空気Ａとともに吸気口３によって吸い込まれる。このときも、喫煙者Ｍは、遊技エリア１１０側に向いており、自分が使っている遊技機１０１を見ながら喫煙することができる。
【００３９】
ここで、送風機２２は、常に起動しておいてもよいし、人感センサで人を検知した際に起動するようにしてもよい。また、喫煙者Ｍの背丈などに応じて、送風装置２の吹出口２１２の高さを調整してもよい。
【００４０】
以上のように、この遊技ホール設備１によれば、送風装置２からの気流に誘引されて、タバコＴの煙Ｔ１が壁１０３に沿って上方に流れるため、タバコＴの煙Ｔ１をより効果的に排気することが可能となる。具体的には、まず、送風装置２から壁１０３に沿って空気Ａを上方に送るため、壁１０３がない場合に比べて空気Ａの流速が速くなる。つまり、壁１０３がない状態で空気Ａを送ると、周囲からの空気を多く巻き込み気流の流速が低下するが、壁１０３に沿って空気Ａを送ることで、周囲からの空気の巻き込み量が減り気流の流速の低下が少ない。
【００４１】
さらに、タバコＴの煙Ｔ１が壁１０３に沿って上方に流れるため、煙Ｔ１が乱れることなく吸気口３に向かう。このように、タバコＴの煙Ｔ１が速い流速でかつ乱れることなく吸気口３に向かうため、タバコＴの煙Ｔ１を迅速かつ集中的に吸気口３で吸い込むことができるものである。ここで、壁１０３に沿わせない場合、送風装置２からの風量を上げることで流速を速めることはできるが、大きな電力を要するのに対して、この遊技ホール設備１によれば、少ない風量、電力で流速を速めることができ、省エネルギー化が可能となる。
【００４２】
すなわち、
（１）壁１０３面に沿って煙Ｔ１を流す（壁面噴流する）ことで、煙Ｔ１の流れの方向を固定しやすくなり、上方の吸気口３で煙Ｔ１が吸い込まれやすくなる。
（２）壁１０３が存在するため、他の気流が少なく噴流・気流が乱れず、休憩兼通路エリア１２０外からの空気Ｇが流入しにくくなる。
（３）壁１０３の片面側（休憩兼通路エリア１２０側）のみから誘引するため、同じ気流速度を得るのにほぼ半分の風量でよい。この結果、通常の新鮮空気量の補給だけで賄うことができ（通常の空調負荷ですみ）、省エネルギー化が可能となる。
という効果が得られるものである。
【００４３】
また、吸気口３の反壁１０３側を遮蔽するように垂れ板４が配設され、しかも、垂れ板４の長さができるだけ長く設定されているため、休憩兼通路エリア１２０外からの空気Ｇが、休憩兼通路エリア１２０内および吸気口３側に流入するのが抑制される。これにより、送風装置２からの空気ＡおよびタバコＴの煙Ｔ１の流速の低下が少なく、タバコＴの煙Ｔ１をより効果的に排気することが可能となる。従って、近くに非喫煙者がいても、非喫煙者への不快感を抑制、軽減することができる。
【００４４】
さらに、送風装置２の吹出口２１２の高さが調整自在となっているため、喫煙者Ｍの背丈や吸気口３の高さなどに応じて吹出口２１２の高さを調整することで、タバコＴの煙Ｔ１をより効果的に排気することが可能となる。すなわち、送風装置２の吹出口２１２から吸気口３までの距離をできるだけ短くすることで、休憩兼通路エリア１２０外からの空気Ｇが、送風装置２と吸気口３の間に流入するのを抑制し、タバコＴの煙Ｔ１をより効果的に排気することが可能となる。
【００４５】
一方、このような送風装置２、さらには遊技ホール設備１が、遊技エリア１１０に近く、かつ遊技機１０１を目視可能な壁１０３際に設けられているため、遊技ホール１００における分煙を促進することが可能となる。すなわち、遊技エリア１１０に近いため、喫煙者Ｍは遠くまで行くことなく容易に喫煙することができ、このような壁１０３際での喫煙を促進することができる。さらに、休憩兼通路エリア１２０の壁１０３際から遊技機１０１を目視可能なため、自分が使っている遊技機１０１や他の遊技機１０１がどうなっているのか、などを喫煙しながら確認することができ、このような壁１０３際での喫煙を促進することができる。このようにして、遊技の際には（遊技機１０１の前では）喫煙をしないで、喫煙をする際には休憩兼通路エリア１２０の壁１０３際に行く、という分煙を促進することが可能となり、遊技中に周囲の非喫煙者に不快感を与えることがない。
【００４６】
「実施の形態２」
図７、８は、この発明の実施の形態２を示す図である。この実施の形態では、送風装置５が実施の形態１と異なり、実施の形態１と同等の構成については、同一符号を付することでその説明を省略する。この送風装置５は、壁１０３から離隔した位置から壁１０３に向けて斜め上方に空気Ａを吹き出す吹出口５１を備える。
【００４７】
すなわち、送風装置５の本体２１の上板の一方の片面側に吹出口５１が設けられ、送風装置５を壁１０３近くに配置した際に、吹出口５１が壁１０３から所定距離だけ離れるようになっている。ここで、吹出口５１が壁１０３から離隔される距離は、喫煙者Ｍが送風装置５の近くでタバコＴを吸った際に、タバコＴの煙Ｔ１が、吹出口５１から吹き出される空気Ａの気流に誘引されて（巻き込まれて）壁１０３に沿って上方に流れるように設定されている。
【００４８】
また、吹出口５１内には、図７に示す第１のガイドベーン５３と、図８に示す第２のガイドベーン５４とが設けられている。第１のガイドベーン５３は、吹出口５１から壁１０３に向って斜め上向きになるように複数配設されている。これにより、壁１０３から離れた位置の吹出口５１から壁１０３に向けて、斜め上方に空気Ａが吹き出されるようになっている。ここで、第１のガイドベーン５３の配設角度、つまり、壁１０３に対する空気Ａの吹出角度は、吹き出された空気Ａが壁１０３に沿ってより効率的に上方に流れるように設定されている。
【００４９】
また、第２のガイドベーン５４は、壁１０３に沿って複数配設され、壁１０３と平行な面内において角度を調整可能となっている。これにより、吹出口５１から吹き出される空気Ａの広がり角度を調整できるようになっている。
【００５０】
そして、このような吹出口５１と壁１０３との間に位置し、かつ、吹出口５１から吹き出される空気Ａの下方に位置するように、灰皿５２が設けられている。
【００５１】
このような実施の形態によれば、喫煙者Ｍが送風装置５の近くでタバコＴを吸うと、壁１０３から離れた吹出口５１から壁１０３に向けて斜め上方に空気Ａが吹き出されているため、この気流に誘引されて（巻き込まれるように）タバコＴの煙Ｔ１が壁１０３に沿って上方に流れる。そして、吹出口５１が壁１０３から離れているため、広い範囲にわたってタバコＴの煙Ｔ１を誘引することができる。つまり、喫煙者Ｍが壁１０３の近くで喫煙しなくても、タバコＴの煙Ｔ１を効果的に排気することが可能となり、喫煙範囲（喫煙自由度）が広くなる。また、吹出口５１から吹き出される空気Ａの下方に灰皿５２が設けられているため、灰皿５２から立ち昇るタバコＴの煙Ｔ１が、吹出口５１からの空気流に乗ってより効率よく上方に流れる。このため、灰皿５２からのタバコＴの煙Ｔ１をより効果的に排気することが可能となる。
【００５２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の発明の実施では、送風装置２の脚体２４が伸縮することで、吹出口２１２の高さが変更可能となっているが、本体２１が伸縮することで、吹出口２１２の高さが変わるようにしてもよい。
【００５３】
また、垂れ壁を平板状の垂れ板４で構成しているが、変形自在なカーテン状の部材で構成してもよい。さらに、垂れ板４の垂直方向の長さを調整できるようにしてもよい。
【００５４】
さらに、上記の実施の形態では、送風装置２に灰皿２１３を設けているが、図６に示すように、送風装置２に灰皿２１３を設けずに、別体として灰皿を設置するようにしてもよい。
【００５５】
一方、休憩兼通路エリア１２０に送風装置２を配置する場合、つまり、休憩兼通路エリア１２０に遊技ホール設備１を設ける場合について説明したが、遊技ホール１００のロビーや通路など、別のエリアに設けてもよい。また、発明の実施２において、第１のガイドベーン５３の配設角度を調整可能にしてもよい。
【符号の説明】
【００５６】
１        遊技ホール設備
２        送風装置
２１      本体
２１１    空気窓
２１２    吹出口
２１３    灰皿
２２      送風機（送風手段）
２３      キャスタ（移動手段）
２４      脚体
３        吸気口（吸気手段）
４        垂れ板（垂れ壁）
１００    遊技ホール
１０１    遊技機
１０２    遊技機島
１０３    壁
１１０    遊技エリア
１２０    休憩兼通路エリア
１２１    ソファ
Ｍ        喫煙者
Ｔ        タバコ
Ｔ１      煙
Ａ        送風装置からの空気
Ｇ        休憩兼通路エリア外からの空気
【図１】
2014198233.tif 000003
【図２】
2014198233.tif 000004
【図３】
2014198233.tif 000005
【図４】
2014198233.tif 000006
【図５】
2014198233.tif 000007
【図６】
2014198233.tif 000008
【図７】
2014198233.tif 000009
【図８】
2014198233.tif 000010